(57)【要約】【課題】  リボン収納部の上部が開放されて装着されるインクリボンカセットにおいて、新品時などに頻出するリボン収納部内でのインクリボン倒れの際においても、インクリボン走行経路規制をするスリット部分から脱落することなく、走行不良を起こしたりしないインクリボンカセットを提供すること。【解決手段】  リボン収納部の上部が開放された状態で成形された合成樹脂製のカセットケースのリボン収納部にエンドレスインクリボンを折り畳み収納し、該カセットケースに設けた複数のスリット部を経由してインクリボンが周回する、インクリボンカセットであって、インクリボンが引き出される最初のスリット部に、所望により特定形状としたインクリボン脱落防止カバーを設けたことを特徴とするインクリボンカセット。【選択図】  図１
2005305947.tif 000002
【特許請求の範囲】
【請求項１】
リボン収納部の上部が開放された状態で成形された合成樹脂製のカセットケースのリボン収納部にエンドレスインクリボンを折り畳み収納し、該カセットケースに設けた複数のスリット部を経由してインクリボンが周回する、インクリボンカセットであって、インクリボンが引き出される最初のスリット部に、インクリボン脱落防止カバーを設けたことを特徴とするインクリボンカセット。
【請求項２】
インクリボン脱落防止カバーが、上記最初のスリット部分を始点とするリボン収納部側の幅がインクリボンの幅よりも広くなるよう設置されたことを特徴とする、請求項１に記載のインクリボンカセット。
【請求項３】
インクリボンカセットの最初のスリット部分上部に、対向する１対の凸部を設け、インクリボン脱落防止カバーの該当部分に予め孔を開けたことを特徴とする、請求項１または２の何れかに記載のインクリボンカセット。
【発明の詳細な説明】
【技術分野】
【０００１】
本発明はプリンタ等に使用されるインクリボンカセットに関し、さらに詳しくは、リボン収納部の上部が開放されて装着されるインクリボンカセットにおいて、新品時などに頻出するリボン収納部内でのインクリボン倒れの際においても、インクリボン走行経路規制をするスリット部分から脱落することなく、走行不良を起こしたりしないインクリボンカセットに関するものである。
【背景技術】
【０００２】
インクリボンカセットとしては、エンドレスでループ状のインクリボンの大部分をカセットケース内に折り畳んで収納したインクリボンカセットが知られている。このインクリボンカセットは、ドットプリンタに装填することにより、プリンタが印字動作を始めるとプリンタ側のリボン繰り込みローラによって、該カセットケースに設けられた複数のスリット部を経由してインクリボンが引き出される。引き出されたインクリボンは、プラテンと印字ヘッドとの隙間に入り、インクリボンを介して印字用紙を打撃して印字を行う。そして、プラテンと印字ヘッドとの隙間を通過したインクリボンは、前記リボン繰り込みローラによって再びインクリボンカセット内に繰り入れられ、周回するという一連の印字動作に用いられる。
【０００３】
従来のインクリボンカセットにおいて、新品カセットの運搬時などにリボン収納部内でリボンが倒れてしまい、走行に障害を起こすことがあった。この問題を解決するために、実開平３−１０３７５５号公報などに、リボン流出防止用またはリボン倒れ防止用のストッパを取り付けたものの提案がなされている。
また、実開昭６０−１７５６５２号公報や、特開２０００−１２７５７９号公報などには、ストッパの代わりにリボン収納部の中に、リボン引き込み口と引き出し口を有するリボンサブケースを装着し、リボン流出防止またはリボン倒れ防止を試みたインクリボンカセットが提案されている。
【０００４】
しかしながら、これらのインクリボンカセットにおいては、運搬時には、リボン流出またはリボン倒れ防止の効果は得られるものの、カセットをプリンタに装着する際には、操作上の問題などで、リボンが倒れ、走行不良を起こしてしまうことがあった。
特に、長尺もののインクリボンを使用する場合、インクリボンの性質上、リボンが引き出され、印字に使用されていくに従って、内圧が上がるため、リボン収納部を広く、大きく取る必要がある。しかしながら、このようなリボン収納部を広く、大きく取ったカセットにおいては、内部のリボンが新品のうちには、空きスペースが大きく、その大きな空きスペースのために、新品カセットの装着時などにおいてリボンが倒れ易く、走行不良を起こしてしまう問題があった。
【０００５】
さらに、カセット本体の部品点数を減らすためや、コストダウンのために、通常はカセットのリボン収納部の上部に装着される上底部材を省略し、プリンタ側の部材によりプリンタに装着した際には上部が覆われるようになっているものがある。
これらのものは、そのままでは蓋が無いので、プリンタ装着時にはプリンタ側の蓋部材などによりリボン脱落防止の手だてを講じてある。しかしながら、ある程度製品ばらつきのあるインクリボンカセットへの対応などのために蓋とカセットの間に遊びを設けて設計されているため、何らかの要因で、インクリボンがリボン収納部などで倒れてしまった際には、その遊びの部分を通り、インクリボン経路を規制しているスリット部からインクリボンが脱落し、経路不良となったインクリボンは、繰り込みロールの繰り込み力だけで移動させることが困難で、プリンタのモータートルクを超えた場合には、いわゆるジャミングと呼ばれる走行不良が発生してしまうことになり好ましくなかった。すなわち、リボンが倒れたまま印字を行うと、リボン倒れ部分が当該スリット部分にきた時、リボンにかかる外力がカセットに対して上方向に働き、該スリット部分よりリボンが脱落する不具合がジャミングの要因となっていたのである。
【０００６】
もっとも、従来の成型品等による蓋付インクリボンカセットの構成によれば、蓋とカセット本体との遊びを無くすことができるので、上記インクリボンの脱落はないが、スライダー、メビウスブロックなどの別部品を設け、輸送時のリボン倒れの防止を行う必要があり、部品点数が増加し、コスト増加となってしまい、蓋なしカセットとした本来の意味が無く、当該目的を達成することができないものとなる。
【０００７】
よって、リボン収納部の上部が開放されて装着されるインクリボンカセットにおいて、新品時などに頻出するリボン収納部内でのインクリボン倒れの際においても、インクリボン走行経路規制をするスリット部分から脱落することなく、走行不良を起こしたりしないインクリボンカセットが要望されていた。
【０００８】
【特許文献１】実開平３−１０３７５５号公報
【特許文献２】実開昭６０−１７５６５２号公報
【特許文献３】特開２０００−１２７５７９号公報
【発明の開示】
【発明が解決しようとする課題】
【０００９】
リボン収納部の上部が開放されて装着されるインクリボンカセットにおいて、新品時などに頻出するリボン収納部内でのインクリボン倒れの際においても、インクリボン走行経路規制をするスリット部分から脱落することなく、走行不良を起こしたりしないインクリボンカセットを提案することを本発明の目的とし、そのような課題の解決手段を提案するものである。
【課題を解決するための手段】
【００１０】
本発明は、上記課題を解決するために、インクリボンが引き出される最初のスリット部に、インクリボン脱落防止カバーを設けたことなどによって、本発明のインクリボンカセットを完成した。
すなわち、本発明は、
「１．リボン収納部の上部が開放された状態で成形された合成樹脂製のカセットケースのリボン収納部にエンドレスインクリボンを折り畳み収納し、該カセットケースに設けた複数のスリット部を経由してインクリボンが周回する、インクリボンカセットであって、インクリボンが引き出される最初のスリット部に、インクリボン脱落防止カバーを設けたことを特徴とするインクリボンカセット。
２．インクリボン脱落防止カバーが、上記最初のスリット部分を始点とするリボン収納部側の幅がインクリボンの幅よりも広くなるよう設置されたことを特徴とする、第１項に記載のインクリボンカセット。
３．インクリボンカセットの最初のスリット部分上部に、対向する１対の凸部を設け、インクリボン脱落防止カバーの該当部分に予め孔を開けたことを特徴とする、第１項または第２項の何れかに記載のインクリボンカセット。」に関する。
【発明の効果】
【００１１】
上記インクリボンカセットによれば、リボン収納部の上部が開放されて装着されるインクリボンカセットにおいて、新品時などに頻出するリボン収納部内でのインクリボン倒れの際においても、インクリボン走行経路規制をするスリット部分から脱落することなく、走行不良を起こしたりしないインクリボンカセットを得ることができる優れた効果を奏するものである。
【００１２】
また、インクリボン脱落防止カバーを、上記最初のスリット部分を始点とするリボン収納部側の幅をインクリボンの幅よりも広くなるように設置することでインクリボン規制効果が高まり、より効果的に脱落防止が図られる。
【００１３】
また、インクリボンカセットの最初のスリット部分上部に、対向する１対の凸部を設け、インクリボン脱落防止カバーの該当部分に予め孔を開けた構成にすれば、さらにインクリボン規制効果が高まり、より効果的に脱落防止が図られる。
【発明を実施するための最良の形態】
【００１４】
本発明のインクリボンカセットは、図１に示したように、基本的に、リボン収納部（３）の上部が開放された状態で成形された合成樹脂製のカセットケース（１）と、エンドレスインクリボン（２）と、インクリボン（２）を外部プリンタの繰り込みローラ（図示せず）で折り畳んで収納するリボン収納部（３）とを有するインクリボンカセットを用いる。
【００１５】
本発明のリボンカセットには、上記リボン収納部（３）と、インクリボン（２）を反転して表裏とも満遍なく使用することができるようにするためのメビウス反転部（９）をはじめとして、バックテンションをかけるためなどの複数のスリット部（１０）によるインクリボン規制部を設けてある。そして、それぞれのスリット部（１０）をインクリボンが経由し、その残部がリボン収納部（３）に格納される。本発明においては、インクリボン（２）の経由経路から見てインクリボン（２）が引き出される最初のスリット部（１１）にインクリボン脱落防止カバー（６）を設けることが最大の特徴である。インクリボン脱落防止カバー（６）は、上記最初のスリット部（１１）に通されたインクリボン（２）の脱落を規制するよう設けられるものである。したがって、該最初のスリット部（１１）をカバーできれば目的は達成できる。
【００１６】
インクリボン脱落防止カバー（６）は、リボン引き出し方向において、上記最初のスリット部分（１１）を始点とするリボン収納部側の幅（１２）が、インクリボン（２）の幅よりも広く設置されるよう設計すると、より効果的にインクリボン（２）の脱落規制を図ることができる。リボン引き出し方向におけるインクリボン脱落防止カバー（６）の最初のスリット部分（１１）を始点とするリボン収納部側の幅（１２）を、インクリボン（２）の幅よりも狭く設置するよう設計した場合にも、該スリット部（１１）からのインクリボン（２）の脱落規制は図れるものの、その効果は、インクリボン（２）の幅を超える設計の方が優れたものとなる。
【００１７】
一方、上記最初のスリット部分（１１）を始点とするリボン収納部側の幅（１２）を、著しく広く設計すると、従来から用いられていたようなインクリボンカセット上部全体を覆うカセット本体カバー（図示せず）との差異が明確にならず、本発明の有効な効果が得られにくくなる。つまり、リボン収納部（３）の新品リボンが格納される部分、例えば、リボン格納ケース（４）を塞がない幅以下に設計すると、該カバーが設置された状態で、プリンタ装着する時にリボン格納ケース（４）を支障なく除去することができるので、最適である。
【００１８】
また、インクリボン脱落防止カバー（６）のリボン収納部（３）側でない、逆側の幅においては、さほど重要にはならないが、接着しろや装着上の容易性などの面で、ある程度の幅を持つことが好ましく、リボン収納部（３）側と対称に設置できるように設計すれば、方向性なく用いることができ、好ましい。
【００１９】
インクリボン脱落防止カバー（６）の好ましい装着例としては、カセット本体の幅方向において、インクリボン脱落防止カバー（６）を、カセット本体の幅に対し、略同一幅に設計し、カセット本体側壁（７）上部などに接着することなどが挙げられる。
【００２０】
また、インクリボンカセット本体の最初のスリット部分（１１）には、その上部に、対向する１対の凸部（１３）を設けると、リボン規制効果がより増すが、さらに、インクリボン脱落防止カバー（６）の該当部分に予め孔（１４）を開け、両者が合致するように設けることで、より確実なインクリボン脱落規制が図られる。
【００２１】
インクリボン脱落防止カバー（６）を構成する素材としては、容易に折り曲げおよび／または切り取り可能な一枚の自己保持性のある薄板状の合成樹脂フィルムおよびシートなどが使用可能である。その他、成形部材により構成することも可能であるが、成形金型を用意しなくてはならないなど費用面での制約があるので、より安価で加工適応性の広い、容易に折り曲げおよび／または切り取り可能な一枚の自己保持性のある薄板状の合成樹脂フィルムおよびシートなどの方が好ましい。この際の合成樹脂製のフィルムとしては、ＰＥＴ、ＡＢＳなどの薄手の合成樹脂フィルムおよびシートなどが使用可能であるが、その強度面や加工性の面で、ポリエチレンテレフタレート樹脂フィルムが好ましい。
【００２２】
本発明のインクリボンカセットは、上部が開放されたリボン収納部（３）を有するので、該リボン収納部（３）には、蓋部材（図示せず）が必要になるが、蓋の代わりに、前壁と後壁にスリット状のリボン導出入口（５）を設けた箱状のリボン格納ケース（４）を用いリボン収納部（３）にインクリボン（２）を格納するのがよい。該リボン格納ケース（４）を用い、インクリボン（２）を収容し、製造すると、運搬時などにおいて蓋の機能とストッパの機能を、両方具備するようになり好ましい。
【００２３】
また、リボン格納ケース（４）の対向側壁（７）に、インクリボンカセットの内壁と凹凸勘合するための係止部（１５）を形成すると、運搬時などに、ケースが左右に揺動し、リボンが繰り出されてしまったり、リボン折れが発生したりするなどの不具合がなく、好ましい。
【００２４】
本発明のインクリボンカセットにリボン格納ケース（４）を使用する場合、その構成する部材としては、容易に折り曲げおよび／または切り取り可能な一枚の自己保持性のある紙類が好ましく、両面を合成樹脂製のフィルムにより被覆された紙部材により構成されたものがインクが紙に浸透するのを防止できるので、インクの汚れの点で、好ましい。この際の合成樹脂製のフィルムは、その加工性等の面からポリエチレンテレフタレート樹脂フィルムが好ましい。特定のポリプロピレン樹脂フィルムなどでは、リボンと当接している部分のインクがこの樹脂フィルムによって抜けてしまう場合がある。
さらに、一枚の自己保持性のある紙を折って形成されていると、強度的にも、加工性の面でも好適である。
また、紙類の他には、折り曲げおよび／または切り取りなどの加工が比較的容易な、ＰＥＴ、ＡＢＳなどの薄手の合成樹脂フィルムおよびシートなどが使用可能である。
【００２５】
プリンタ装着時においては、リボン収納部（３）内で、リボン格納ケース（４）を端部に寄せたままリボン格納ケース（４）を除去することで、ある程度、リボン走行による新品リボン束の倒れ防止を図ることができるが、本発明は、インクリボン脱落防止カバー（６）があるので、リボンが倒れた際にも、該リボンのスリット部（１１）からの脱落が防止されるのである。
【００２６】
本発明のインクリボンカセットに使用されるカセットケース（１）の材質としては、熱可塑性の一般的に射出成形に使われている樹脂が使用できる。この中でも加工性、強度、価格などの点でＡＢＳ樹脂が好ましい。
【００２７】
本発明のインクリボンカセットに使用されるエンドレスインクリボン（２）は、６，６ナイロンなどのファブリック地に難揮発性のインクを浸み込ませたような構成のリボンが通常用いられる。
【００２８】
本発明のインクリボンカセットの構成の場合、収納されるインクリボン（２）の長さが、長尺になればなるほど、効果が大きくなる。長尺もののリボンを用いた場合、リボンの新品時と、印字が進んだ時とでは、リボンを走行させることで内圧が上がるため、次第に収納されるリボンが膨らみ、その差が大きくなることから、リボン収納部（３）を広く、大きく取る必要がある。
つまり、このような長尺もののリボンを収納する場合、内部のリボンが膨らんだときのリボンの見かけ上の体積にリボン収納部（３）の大きさを合わせるため、リボンが新品の時に空きスペース（８）が大きく、リボン運搬時等にリボンが倒れ、走行不良を起こしてしまうことをより問題とされることとなる。よって、このような場合に、本発明のインクリボンカセットを用いると、より大きな作用効果を得ることが可能となるので好ましい。
【００２９】
印字時にインクリボンを走行させるための繰り込みローラが、インクリボンカセット側に付属していなく、プリンタに装着された外部繰り込みローラ（図示せず）によってインクリボン（２）をリボン収納部（３）に繰り込み使用する、インクリボンカセット内に繰り込みローラを有さない形態の印字システムにおいては、インクリボンカセットを単純化できることなどから、カセットケース（１）が比較的大きなものも作り易い傾向にあり、前記したように内部のリボンが膨らんだときのリボンの見かけ上の体積にリボン収納部（３）の大きさを合わせるため、リボンが新品の時に空きスペース（１３）が大きく、リボン運搬時等にリボンが倒れ、走行不良を起こしてしまうことをより問題とされることとなるので、本発明のインクリボンカセットを用いると、より大きな作用効果を得ることが可能となるので好ましい。
【００３０】
また、大型のカセットケースにおいては、前記リボン収納ケース（４）を使用すると、製造時のインクリボンの折り畳み収納の繰り込み行程において、カセットケース（１）に直接繰り込むのではなく、一度、リボン格納ケース（４）に繰り込み、最終工程において、リボン格納ケース（４）をカセットケース（１）に装着すればよく、製造ライン上の移動や保管などが容易になり、作業効率が向上するので好ましい。
【００３１】
以下に、本発明のインクリボンカセットの一例を挙げ、図面により具体的に説明する。
図１は、本発明のインクリボンカセットの一例を示す斜視図である。図１中の（１）はカセットケースで、その一部にはメビウス反転部（９）を含む、インクリボン（２）の走行経路規制のための複数のスリット部（１０）（１１）が設けられている。図１の例では、そのリボン収納部（３）に直接インクリボン（２）を折り畳んで繰り込むのではなく、あらかじめインクリボン（２）を折り畳んで繰り込んだリボン格納ケース（４）を装着する形態としている。そして、インクリボン（２）の露出した一部を上記カセットの一部に設けられた各スリット部（１０）（１１）に通し、エンドレスインクリボン（２）が周回するよう、装着されている。
さらに、インクリボン（２）が引き出される最初のスリット部（１１）には、本発明において重要な要素となるインクリボン脱落防止カバー（６）が設けられている。該カバー（６）は、上記最初のスリット部分（１１）を始点とするリボン収納部（３）側の幅がインクリボン（２）の幅よりも広くなるよう設置されている。
【００３２】
また、図１の状態はインクリボン（２）をリボン格納ケース（４）に繰り込み、さらにカセットケース（１）に装着した直後であるが、リボン収納部（３）は、使用し、走行するに従って、外部プリンタの繰り込みローラ（図示せず）によりインクリボン（２）が繰り込まれ、次第に肥大するインクリボン（２）を収納できるように、繰り込み直後のリボンサイズより大きくなっている。
したがって、製造直後のインクリボンカセットでは、図に示したようなリボン倒れ等の不具合を生ずるおそれのある空きスペース（８）が生じてしまうが、インクリボン脱落防止カバー（６）が装着されているので、インクリボン（２）の走行経路規制をするスリット部分（１１）から脱落することなく、走行不良を起こすことがないものとなっている。
【００３３】
インクリボン（２）がリボン収納部（３）内にて倒れる態様としては、新品インクリボン束のスリット部分（１１）側で倒れる場合と、その逆側の繰り込みローラー（図示せず）側で倒れる場合の二態様がある。いずれもリボン倒れを発生すると不具合を生じやすいが、繰り込みローラー側にてリボン倒れが発生すると、束になって倒れることが多く、そのまま印字が進行し、インクリボン（２）が走行すると、倒れたリボンを繰り込まれた周回リボンが押していくことになる。その結果、倒れたリボン束が、その形状のまま、つまり横向きでスリット部へ進行していくことになり、リボン脱落を生ずる致命的な問題になりやすい。
そこで、インクリボン脱落防止カバー（６）を、上記最初のスリット部分（１１）を始点とするリボン収納部（３）側の幅が、インクリボン（２）の幅よりも広くなるように設計すると、横倒しになったインクリボン（２）も、その幅を超えるカバー（６）の存在により、より効果的にスリット部分（１１）からの脱落抑制、走行不良防止を図ることができる。
【００３４】
なお、この例で用いたリボン格納ケース（４）は、両面を合成樹脂製のフィルムにより被覆された紙部材などにより構成することができる。もちろん、その他の材質のものでも、その他の形状のものでもかまわない。
【００３５】
さらに、図１のインクリボンカセットでは、インクリボンカセット（１）の最初のスリット部分（１１）上部に、対向する１対の凸部（１３）を設けてある。また、前示しなかったが、インクリボン脱落防止カバー（６）には、その該当部分に予め孔（１４）を開けた構成として両者の干渉を避けた形態としている。それにより、より好ましく、脱落抑制、走行不良防止が図られる。
【００３６】
次に、上記インクリボンカセットを使用する場合を説明する。該インクリボンカセットをプリンタ（図示せず）に装着し、印字開始するには、このインクリボンカセットを使用可能な状態にする必要がある。まず、上述したように、インクリボンカセットをプリンタに装着した後、リボン格納ケース（４）を上方へ持ち上げ、カセットケース（１）のリボン収納部（３）にインクリボン（２）を残したまま、リボン格納ケース（４）を除去し、インクリボンカセットの準備を完了した。この際、インクリボン脱落防止カバー（６）の上記最初のスリット部分（１１）を始点とするリボン収納部（３）側の幅が、空きスペース（８）内、つまり、リボン格納ケース（４）の上方除去に干渉しないような幅に設計されていると、問題なく準備を完了することができる。ただし、リボン収納部（４）の空きスペース（８）が存在するため、必然的にある程度、新品のインクリボン（２）が倒れてしまうことになる。
しかしながら、そのような状態であっても、本発明のインクリボンカセットにおいては、インクリボン脱落防止カバー（６）を設けてあるので、インクリボン（２）が走行経路規制をするスリット部分（１１）から脱落することなく、走行不良を起こすことがないものとなっているのである。
【００３７】
なお、図１並びに上記説明では、カセットケース本体の全面を覆うような蓋（図示せず）を設けることなく設計した形態のインクリボンカセットについて説明しているが、カセットケースに蓋を設けた形態で、最初のスリット部分（１１）上部とその蓋の間にインクリボン（２）の厚みを超えるような間隙を有する場合は、同様な問題を有するので、そのようなインクリボンカセットなどにおいても実施可能である。
【００３８】
また、リボンを反転させるメビウス反転部（９）についても同様に、図１に示したごとくメビウス反転部（９）をインクリボンカセット内部に設けてもよいし、インクリボンカセット外部に設けてもよい。さらに、リボンの反転が不必要であれば、メビウス反転部（９）を設ける必要はなく、これらは適宜選択可能なものである。
【実施例】
【００３９】
以下、図１にて説明した本発明のインクリボンカセットについて、実施例により説明するが、本発明はこれによって限定されるものではない。
【００４０】
実施例１
上記図１のインクリボンカセットにおいて、インクリボン（２）が引き出される最初のスリット部（１１）に、インクリボン脱落防止カバー（６）を設けた。該インクリボン脱落防止カバー（６）は、２５０μｍポリエチレンテレフタレートフィルムを素材とし、カセットケース（１）の該最初のスリット部分（１１）を始点とするリボン収納部（３）側の幅を２５ｍｍ、逆側の幅を２５ｍｍ、全幅５０ｍｍに設置されるよう設計し、カセット本体（１）の側壁（７）に両面テープ（図示せず）によって装着した。
インクリボンカセットの最初のスリット部分（１１）上部には、対向する１対の凸部（１３）を設け、該インクリボン脱落防止カバー（６）の該当部分には予め孔（１４）を設けて、カセットの凸部（１３）との干渉防止措置を講じたものであった。
この際のインクリボン（２）の幅は１７ｍｍ、リボン走行方向における空きスペース（８）の幅は約２００ｍｍであった。
その後、当該インクリボンカセットをプリンタ（図示せず）に装着し、印字準備をした際にインクリボン（２）がリボン収納部（３）内の空きスペース（８）において、リボン倒れを生じたが、インクリボン脱落防止カバー（６）が設けてあり、かつ、インクリボン脱落防止カバー（６）の最初のスリット部分（１１）を始点とするリボン収納部側の幅が２５ｍｍであり、インクリボン（２）の幅１７ｍｍよりも広いので、その後の印字動作においては、インクリボン（２）が走行経路規制をするスリット部分（１１）から脱落することなく、走行不良を起こすことがない、非常に良好な結果を得ることができた。
【００４１】
実施例２
実施例１のインクリボン脱落防止カバー（６）を、同素材にて、該最初のスリット部分（１１）を始点とするリボン収納部（３）側の幅を１０ｍｍ、逆側の幅も１０ｍｍ、全幅２０ｍｍに設置されるよう設計した（図示せず）ほかは実施例１と同様にしてインクリボン脱落防止カバー（６）を作製し、カセット本体（１）の側壁（７）に両面テープ（図示せず）によって装着した。
その後、当該インクリボンカセットをプリンタ（図示せず）に装着し、印字動作を行った。その際、インクリボン脱落防止カバー（６）が設けてあるので、インクリボン（２）が走行経路規制をするスリット部分（１１）から脱落することはなかったが、インクリボン脱落防止カバー（６）の最初のスリット部分（１１）を始点とするリボン収納部側の幅がインクリボン（２）の幅よりも狭いので、倒れているインクリボン（２）全体を該カバー（６）で覆っていないことになり、上方の外力が加わったインクリボン（２）が、一部、該カバー（６）の上に乗り上げてしまい、走行不良防止効果としてはやや不十分であった。
【産業上の利用可能性】
【００４２】
本発明はプリンタ等に使用されるインクリボンカセットに使用でき、さらに詳しくは、リボン収納部の上部が開放されて装着されるインクリボンカセットにおいて、新品時などに頻出するリボン収納部内でのインクリボン倒れの際においても、インクリボン走行経路規制をするスリット部分から脱落することなく、走行不良を起こしたりしないインクリボンカセットとして適用できる。
【図面の簡単な説明】
【００４３】
【図１】本発明のインクリボンカセットの一例を示す斜視図を示す。
【符号の説明】
【００４４】
１    カセットケース
２    エンドレスインクリボン
３    リボン収納部
４    リボン格納ケース
５    リボン導出入口
６    インクリボン脱落防止カバー
７    側壁（カセットケース）
８    空きスペース
９    メビウス反転部
１０  スリット部
１１  最初のスリット部
１２  最初のスリット部分を始点とするリボン収納部側の幅が
１３  凸部
１４  孔
１５  係止部
【図１】
2005305947.tif 000003